(57)【要約】【課題】ハンガーアームに掛止されたハンガーを上下の軸支部を通って容易に収納部にスライド移動することができる。【解決手段】本発明のハンガー装置は、壁面等の被取付体Ｗに取り付けられる横長の取付ベース１の両端にアームベース３・３を設けて、それぞれその先端部に上軸支部５と下軸支部６によってハンガーアーム２・２を回動可能に取り付けてある。ハンガーアーム２は、長尺で角棒状の掛止部７と、その上方に平行に間隔を置いて位置する上枠部８とのそれぞれ先端部を先枠部９で結合して、基端部側が開口する略コ字状に形成されている。アームベース３には、略コ字状で前方に開口している収納部１０を設けてある。そして、ハンガーアーム２はアームベース３に上下の軸支部５・６で軸支され、ハンガーアーム２の掛止部７、アームベース３の収納部１０及びそれらを繋ぐ下軸支部６は略同一平面に連続している。【選択図】図１
2019088582.tif 000002
【特許請求の範囲】
【請求項１】
壁面等の被取付体に取り付けられる取付ベースにアームベースを設け、アームベースにハンガーアームを水平面内で回動可能に設けて成り、ハンガーアームは、下方にあってハンガーを掛止する掛止部と、その上方にあって先端部を先枠部を介して掛止部と連結する上枠部を有し、上枠部と掛止部はアームベースに上下に距離を置いて垂直方向に同軸上に上軸支部と下軸支部を設けて軸支されており、アームベースには、掛止部に下軸支部を介して連続して配置され、掛止部からスライド移動したハンガーを収納することができる収納部を形成したことを特徴とするハンガー装置。
【請求項２】
掛止部、軸支部及び収納部が略同一平面に連続していることを特徴とする請求項１に記載のハンガー装置。
【発明の詳細な説明】
【技術分野】
【０００１】
本発明は、主に室内の壁面等の被取付体に取り付けられる取付ベースに、ハンガーアームを回動可能に取り付け、ハンガーアームにハンガーを掛けられるハンガー装置に関するものである。
【背景技術】
【０００２】
特開平８−８９６号公報（特許文献１）には、ベースの両端にアームを回動自在に設けられ、アームには、内面に物干し竿の係止部となる嵌合孔を設けると共に、外面に洗濯物や衣類を掛けられる突起を設けてあり、室内で物干し竿を使って洗濯物を干すことができ、さらには、洗濯物に限らず洋服掛けとしても使用できる室内物干し装置が開示されている。
また、実公平２−４６８７４号公報（特許文献２）には、物干し竿を支持する支持腕を取付片に回動可能に設け、支持腕の上側に半円弧凹状の竿受部を設けてそこに物干し竿を支持させて使用し、不使用時には、そこから取付片上側に物干し竿を持って移動して収納することができる物干し竿の支持装置が開示されている。
【先行技術文献】
【特許文献】
【０００３】
【特許文献１】特開平８−８９６号公報
【特許文献２】実公平２−４６８７４号公報
【発明の概要】
【発明が解決しようとする課題】
【０００４】
上記特許文献１に記載された発明においては、物干し竿を使って洗濯物を乾燥させた後に、突起に掛けて収納するという使用方法も可能であるが、その場合、乾いた洗濯物を物干し竿から外し、さらに物干し竿を外してアームを折り畳んで突起に掛けるという動作が必要であり、その動作は手間がかかり極めて面倒であるという問題がある。
また、上記特許文献２に記載された考案においては、物干し竿の支持装置であり、使用状態においても収納状態においても物干し竿が風に煽られる等して容易に移動すると落下事故につながる危険もあるため、２つの状態間の移動は容易に行うことはできない構成となっており、このことは、物干し竿の支持装置という性質上当然のことであって、本発明のハンガー装置とは製品の性質が相違しているものである。
本発明は、主に室内の壁面に取り付けられて使用されるもので、ハンガーを容易に使用状態から収納状態にスライド移動することができるようにして、衣類を掛けたハンガーを簡単に移動させてコンパクトに収納することができるハンガー装置で、ワイシャツのように毎日着るものを乾燥させ、あるいは雨に濡れた上着を乾かしてそのままコンパクトに収納することができ、手間がかからず室内の体裁を損なわないハンガー装置を提供することを課題とするものである。
【課題を解決するための手段】
【０００５】
本発明は、上記の課題を解決するものであり、壁面等の被取付体に取り付けられる取付ベースにアームベースを設け、アームベースにハンガーアームを水平面内で回動可能に設けて成り、ハンガーアームは、下方にあってハンガーを掛止する掛止部と、その上方にあって先端部を先枠部を介して掛止部と連結する上枠部を有し、上枠部と掛止部はアームベースに上下に距離を置いて垂直方向に同軸上に上軸支部と下軸支部を設けて軸支されており、アームベースには、掛止部に下軸支部を介して連続して配置され、掛止部からスライド移動したハンガーを収納することができる収納部を形成したことを特徴とするハンガー装置である。
【発明の効果】
【０００６】
以上のように本発明の構成によれば、ハンガーアームの掛止部に掛止されたハンガーを下軸支部を通って容易に収納部にスライド移動してハンガーアームを折り畳むことができるので、乾燥させた衣類をそのままコンパクトに収納することができ、手間がかからず収納状態においては邪魔にならず室内の体裁を損なわないという効果がある。
【図面の簡単な説明】
【０００７】
【図１】ハンガーアームを取付ベースから垂直に突出させ、掛止部にハンガーを掛止している状態を示す斜視図である。
【図２】ハンガーを収納部に移動して一方のハンガーアームを取付ベース側へ回動して折り畳んだ状態を示す斜視図である。
【図３】ハンガーアームを取付ベースから垂直に突出させた状態を示す要部斜視図である。
【図４】ハンガーアームを取付ベース側へ回動して折り畳んだ状態を示す要部斜視図である。
【図５】ハンガーアームを取付ベースに組み付ける前の状態を示す分解斜視図である。
【実施例１】
【０００８】
本実施例のハンガー装置は、壁面等の被取付体に取り付けられる横長の取付ベース１の両端にアームベース３・３を設けて、それぞれその先端部に上軸支部５と下軸支部６によってハンガーアーム２・２を回動可能に取り付けてある。
【０００９】
取付ベース１は、横長平板状の基板部１９の上端部全長に亘って天板部２０を設けて断面略Ｌ字状で、下端部には間隔を置いて多数のフック４・・・４を取り付けてあり、両端部にはアームベース３・３を取り付けてある。
【００１０】
アームベース３は、略コ字状で前方に開口している収納部１０を設け、上方前端部には上下に貫通する軸孔を設けた上軸受筒１５を、下方前端部には同じく上下に貫通する軸孔を設けた下軸受筒１６をそれぞれ設けてある。上軸受筒１５は下軸受筒１６よりも厚く、上下端面を段落ちさせて摺接面２１・２１を形成し、下軸受筒１６は上端面を段落ちさせて摺接面２２を形成してある。上軸受筒１５と下軸受筒１６の軸孔は、上下に距離を置いて垂直方向に同軸上に設けられている。
【００１１】
ハンガーアーム２は、長尺で角棒状の掛止部７と、その上方に平行に間隔を置いて位置する平板状の上枠部８とのそれぞれ先端部を先枠部９で結合して、基端部側が開口する略コ字状に形成されている。掛止部７の基端部には、アームベース３の摺接面２２に載置され上下に貫通する軸孔を設けた下軸入筒１８を設け、上枠部８は掛止部７より幅広で、その基端部には、アームベース３の摺接面２１・２１を挟持し上下に貫通する軸孔を設けた上軸入筒１７・１７を設けてある。
【００１２】
そして、アームベース３の上軸受筒１５をハンガーアーム２の上軸入筒１７・１７で挟むと共に、下軸受筒１６に下軸入筒１８を載置して、上軸受筒１５と上軸入筒１７・１７の軸孔に上方から上軸１１を挿入して下方を上軸止具１２で止めて軸支して上軸支部５を形成し、下軸受筒１６と下軸入筒１８の軸孔に上方から下軸１３を挿入して下方を下軸止具１４で止めて軸支して下軸支部６を形成する。また、ハンガーアーム２の上枠部８は、上下方向に幅広に形成され、上下２か所の上軸入筒１７・１７によって軸支されるので、ハンガーアーム２に掛けられる耐荷重強度を向上させることができる。なお、上枠部８の表裏面は意匠性を向上させるため化粧面としてもよい。
【００１３】
上軸支部５と下軸支部６は同一垂直線上に同軸的に設けられ、ハンガーアーム２は、取付ベース１両端のアームベース３に回動可能に取り付けられることになり、取付ベース１に対して垂直方向に突出する状態から左右両側に９０度ずつ、１８０度回動することできる。なお、上軸支部５と下軸支部６の構造は本実施例に限定されるものではなく、種々の構造が考えられる。また、ハンガーアーム２は本実施例のように２本ではなく１本でもよい。
【００１４】
ハンガーアーム２の掛止部７上面、アームベース３の収納部１０下面及びそれらを繋ぐ下軸支部６上面は略同一平面上に連続しており、掛止部７に掛けたハンガーＨを容易に収納部１０にスライド移動させて収納することができるようになっている。
【００１５】
使用するには、ハンガーアーム２・２を取付ベース１に対して垂直に突出させて、衣類Ｃを掛けたハンガーＨを掛止部７・７に掛止し、衣類Ｃが乾燥したら、衣類Ｃを掛けたままハンガーＨを奥へ押し込むと、下軸支部６を通って収納部１０にスムーズに移動して収納させ、ハンガーアーム２・２を取付ベース１側へ回動して折り畳めば、コンパクトな収納状態を実現することができる。なお、収納部１０を掛止部７よりやや低くすると、ハンガーＨを奥へ押し込む際に、同一平面上にある場合に比べて多少スムーズさにおいて劣るものの、収納されたハンガーＨを収納部１０から掛止部７へ移動しにくくすることができる。
【００１６】
また、フック４にもハンガーＨを掛けることができ、乾燥した衣類Ｃが掛かったハンガーＨをこのフック４に掛けなおし、続けて乾燥していない衣類Ｃが掛かったハンガーＨをハンガーアーム２・２の掛止部７・７に掛止して使用したり、ハンガーアーム２・２を取付ベース１側へ回動して折り畳んだ状態で、フック４と掛止部７に重なるように衣類を掛けるような使用方法も可能であり、たくさんの衣類をコンパクトに収納することができる。
【符号の説明】
【００１７】
１    取付ベース
２    ハンガーアーム
３    アームベース
５    上軸支部
６    下軸支部
７    掛止部
８    上枠部
９    先枠部
１０    収納部
【図１】
2019088582.tif 000003
【図２】
2019088582.tif 000004
【図３】
2019088582.tif 000005
【図４】
2019088582.tif 000006
【図５】
2019088582.tif 000007